(57)【要約】【課題】一つの波長分離素子を用いて多重分離することができる光伝送装置及び光素子を提供する。【解決手段】光伝送装置１は、第１の光導波路及び第２の光導波路上に設けられ、第１の光導波路及び第２の光導波路で伝送される光を結合し、結合された光を第１の光導波路及び第２の光導波路に出力する複数の光カプラＣ１〜ＣＮと、複数の光カプラのうちの波長の種類以上のものの前段に設けられ、第１の光導波路若しくは第２の光導波路又はこれらの両方で伝送される光の移相量を変化させる複数の移相器ＰＳ１〜ＰＳＮと、複数の光カプラのうちの最終段のものを介して第２の光導波路に出力された光の強度を監視するモニタ１３０と、複数の移相器ＰＳ１〜ＰＳＮを制御する制御部Ｄ１〜ＤＮと、を有する。制御部は、複数の移相器毎に、移相量を増減させてモニタの出力が低下する移相器の変化の方向を特定し、当該移相器を当該方向に変化させる。【選択図】図２
2020072351.tif 000002
【特許請求の範囲】
【請求項１】
複数種類の波長の光が伝送される第１の光導波路及び第２の光導波路と、
前記第１の光導波路及び前記第２の光導波路上に設けられ、前記第１の光導波路及び前記第２の光導波路で伝送される光を結合し、前記結合された光を前記第１の光導波路及び前記第２の光導波路に出力する複数の光カプラと、
前記複数の光カプラのうちの前記波長の種類以上のものの前段に設けられ、前記第１の光導波路若しくは前記第２の光導波路又はこれらの両方で伝送される光の移相量を変化させる複数の移相器と、
前記複数の光カプラのうちの最終段のものを介して前記第２の光導波路に出力された光の強度を監視するモニタと、
前記複数の移相器を制御する制御部と、
を有し、
前記制御部は、前記複数の移相器毎に、移相量を増減させて前記モニタの出力が低下する移相器の変化の方向を特定し、当該移相器を当該方向に変化させることを特徴とする光伝送装置。
【請求項２】
前記第１の光導波路で伝送される光の偏波の方向と前記第２の光導波路で伝送される光の偏波の方向とが互いに一致することを特徴とする請求項１に記載の光伝送装置。
【請求項３】
前記制御部は、前記移相器を変化させる処理を、前記複数の移相器の間で繰り返し実行することを特徴とする請求項１又は２に記載の光伝送装置。
【請求項４】
前記複数の移相器が設けられた部分の各々において、光の速度をｃ、群屈折率をｎＧ、前記複数種類の波長の間の周波数間隔をΔｆとしたとき、前記第１の光導波路と前記第２の光導波路との間の導波路長差は、ｃ／（ｎＧ・Δｆ）の整数分の１であることを特徴とする請求項１乃至３のいずれか１項に記載の光伝送装置。
【請求項５】
前記複数の光カプラのうちの初段の前段において、前記第１の光導波路及び前記第２の光導波路が２次元回折格子カプラからの２出力に接続されることを特徴とする請求項１乃至４のいずれか１項に記載の光伝送装置。
【請求項６】
前記複数の光カプラのうちの最終段のものを介して前記第１の光導波路に前記複数種類の波長を分離する波長分離素子を有することを特徴とする請求項１乃至５のいずれか１項に記載の光伝送装置。
【請求項７】
複数種類の波長の光が伝送される第１の光導波路及び第２の光導波路と、
前記第１の光導波路及び前記第２の光導波路上に設けられ、前記第１の光導波路及び前記第２の光導波路で伝送される光を結合し、前記結合された光を前記第１の光導波路及び前記第２の光導波路に出力する複数の光カプラと、
前記複数の光カプラのうちの前記波長の種類以上のものの前段に設けられ、前記第１の光導波路若しくは前記第２の光導波路又はこれらの両方で伝送される光の移相量を変化させる複数の移相器と、
前記複数の光カプラのうちの最終段のものを介して前記第２の光導波路に出力された光の強度を監視するモニタと、
前記複数の移相器を制御する制御部と、
を有し、
前記制御部は、前記複数の移相器毎に、移相量を増減させて前記モニタの出力が低下する移相器の変化の方向を特定し、当該移相器を当該方向に変化させることを特徴とする光素子。
【発明の詳細な説明】
【技術分野】
【０００１】
本発明は、光伝送装置及び光素子に関する。
【背景技術】
【０００２】
波長分割多重（Wavelength  Division  Multiplex：ＷＤＭ）方式の光通信が行われている。ＷＤＭ方式の光通信では、ＷＤＭ信号を各波長に分離するデマルチプレクサが光受信回路に含まれる。一般的に、デマルチプレクサをシリコン光集積回路（Photonic  Integrated  Circuit：ＰＩＣ）で実現した場合、特定の方向の偏波に対してのみ機能する偏波依存性の大きいデマルチプレクサとなる。
【０００３】
その一方で、光ファイバを介して光受信回路に到達するＷＤＭ信号の偏波の方向は決まっておらず、また時間とともに変化する。このため、偏波依存性の大きいデマルチプレクサを用いた光受信回路では、ＷＤＭ信号を安定して受信することができない。
【０００４】
ＷＤＭ信号の直交２偏波を分波した後に、各偏波を別々のデマルチプレクサに入力するように構成することで、偏波依存性に起因する受信の不安定さは抑制することができる。しかしながら、二つのデマルチプレクサを用いる場合、それらの間で透過スペクトルが高精度で一致していなければ、適切に光信号を受信することができない。
【先行技術文献】
【特許文献】
【０００５】
【特許文献１】特開２００３−５１８０９号公報
【特許文献２】特開２００３−２２０８６２号公報
【発明の概要】
【発明が解決しようとする課題】
【０００６】
本開示の目的は、一つの波長分離素子を用いて多重分離することができる光伝送装置及び光素子を提供することにある。
【課題を解決するための手段】
【０００７】
本開示の一形態によれば、複数種類の波長の光が伝送される第１の光導波路及び第２の光導波路と、前記第１の光導波路及び前記第２の光導波路上に設けられ、前記第１の光導波路及び前記第２の光導波路で伝送される光を結合し、前記結合された光を前記第１の光導波路及び前記第２の光導波路に出力する複数の光カプラと、前記複数の光カプラのうちの前記波長の種類以上のものの前段に設けられ、前記第１の光導波路若しくは前記第２の光導波路又はこれらの両方で伝送される光の移相量を変化させる複数の移相器と、前記複数の光カプラのうちの最終段のものを介して前記第２の光導波路に出力された光の強度を監視するモニタと、前記複数の移相器を制御する制御部と、を有し、前記制御部は、前記複数の移相器毎に、移相量を増減させて前記モニタの出力が低下する移相器の変化の方向を特定し、当該移相器を当該方向に変化させる光伝送装置が提供される。
【発明の効果】
【０００８】
本開示によれば、一つの波長分離素子を用いて多重分離することができる。
【図面の簡単な説明】
【０００９】
【図１】第１の実施形態に係る光伝送装置の構成を示す図である。
【図２】第１の実施形態における光受信回路の構成を示す図である。
【図３】第２の実施形態に係る光素子の構成を示す図である。
【図４】制御信号を示す図である。
【図５】ヒータの出力の変化と光強度検出器の出力の変化との関係を示す図（その１）である。
【図６】ヒータの出力の変化と光強度検出器の出力の変化との関係を示す図（その２）である。
【図７】第３の実施形態に係る光素子の構成を示す図である。
【図８】シミュレーションの結果を示す図である。
【発明を実施するための形態】
【００１０】
以下、本開示の実施形態について添付の図面を参照しながら具体的に説明する。なお、本明細書及び図面において、実質的に同一の機能構成を有する構成要素については、同一の符号を付することにより重複した説明を省くことがある。
【００１１】
（第１の実施形態）
第１の実施形態について説明する。図１は、第１の実施形態に係る光伝送装置の構成を示す図である。
【００１２】
第１の実施形態に係る光伝送装置１は、図１に示すように、光受信回路１００、電気受信回路２００、光送信回路３００及び電気送信回路４００を含む。光受信回路１００には光ファイバ５００が接続され、光受信回路１００は光ファイバ５００から光信号を入力し、電気信号を出力する。電気受信回路２００は光受信回路１００が出力した電気信号を受信し、当該電気信号の信号処理を行い、信号処理後の電気信号を光伝送装置１の外部へ出力する。電気送信回路４００は外部から電気信号を受信し、当該電気信号の信号処理を行い、信号処理後の電気信号を出力する。光送信回路３００は電気送信回路４００が出力した電気信号を受信し、光信号を光ファイバ６００に出力する。本実施形態では、光ファイバ５００を伝送する光信号１０は波長分割多重（Wavelength  Division  Multiplex：ＷＤＭ）方式の光信号であり、例えば波長が相違する４種類の信号（４チャネルの信号）を含む。各信号の波長はλ１、λ２、λ３、λ４である。
【００１３】
次に、光受信回路１００の構成について説明する。図２は、第１の実施形態における光受信回路１００の構成を示す図である。
【００１４】
光受信回路１００は、図１に示すように、２次元回折格子カプラ１６０、第１の光導波路１１０及び第２の光導波路１２０を含む。２次元回折格子カプラ１６０は、光信号１０を直交２偏波に分波し、２偏波の一方（偏波１１）が第１の光導波路１１０を伝播し、他方（偏波１２）が第２の光導波路１２０を伝播する。また、２次元回折格子カプラ１６０は、偏波１１及び１２の間で偏波の方向（偏波状態）を同一のものに変換する。
【００１５】
第１の光導波路１１０及び第２の光導波路１２０には、Ｎ個の２入力２出力の光カプラＣ１、Ｃ２、・・・、ＣＮ−１及びＣＮが設けられている。Ｎは波長の種類の数（チャネル数）以上、ここでは４以上の整数である。隣り合う二つの光カプラＣａ−１及びＣａ（ａは２以上Ｎ以下の整数）は、第１の光導波路１１０及び第２の光導波路１２０の導波路対を介して縦続接続されており、これら導波路対に移相器ＰＳａが設けられている。例えば、光カプラＣ１及びＣ２の間の導波路対には移相器ＰＳ２が設けられ、光カプラＣＮ−１及びＣＮの間の導波路対には移相器ＰＳＮが設けられている。また、光カプラＣ１の入力側には、移相器ＰＳ１を備えた導波路対が設けられている。
【００１６】
光カプラＣＮの出力側では、第１の光導波路１１０にデマルチプレクサ１７０が接続されており、デマルチプレクサ１７０の出力にフォトダイオード等の受光素子１８１、１８２、１８３及び１８４が接続されている。デマルチプレクサ１７０は入力された光信号を波長毎に分離し、波長がλ１の光信号を受光素子１８１に出力し、波長がλ２の光信号を受光素子１８２に出力し、波長がλ３の光信号を受光素子１８３に出力し、波長がλ４の光信号を受光素子１８４に出力する。受光素子１８１〜１８４は、それぞれ受光した光の強度に応じた電気信号を出力する。
【００１７】
光受信回路１００は制御回路１４０を含む。制御回路１４０はＮ個の移相制御部Ｄ１、Ｄ２、・・・、ＤＮ−１及びＤＮを含む。また、光カプラＣＮの出力側では、第２の光導波路１２０にモニタ１３０が接続されている。モニタ１３０は第２の光導波路１２０を伝播してきた光の強度を監視し、強度に応じた信号を移相制御部Ｄ１〜ＤＮに出力する。移相制御部Ｄ１〜ＤＮは、モニタ１３０の出力に応じて、それぞれ移相器ＰＳ１〜ＰＳＮを制御する。
【００１８】
次に、光受信回路１００の動作について説明する。
【００１９】
光ファイバ５００を伝播してきた光信号１０は、２次元回折格子カプラ１６０により、偏波１１及び１２の直交２偏波に分波されると共に、偏波の方向が同一になるように変換される。例えば、ＴＭモードの偏波及びＴＥモードの偏波を含む光信号１０が、ＴＭモードの偏波１１及びＴＥモードの偏波１２に分波されると共に、偏波１１の偏波状態がＴＭモードからＴＥモードに変換される。従って、ＴＭモードから変換されたＴＥモードの偏波１１が第１の光導波路１１０を伝播し、ＴＥモードの偏波１２が第２の光導波路１２０を伝播するようになる。このため、最終段の光カプラＣＮから出力される偏波１１及び１２の偏波状態もＴＥモードである。
【００２０】
制御回路１４０は、光カプラＣＮから第２の光導波路１２０に出力される光の強度が弱くなるように移相器ＰＳ１〜ＰＳＮを制御する。具体的には、移相制御部Ｄ１〜ＤＮのうちの一つが、当該移相制御部に対応する移相器の移相量を増減させ、その時点で、移相量を増加させた場合、減少させた場合のどちらでモニタ１３０の出力が低くなるか特定する。そして、当該移相制御部は、モニタ１３０の出力が低くなるように当該移相器を変化させる。この処理を移相制御部Ｄ１〜ＤＮのそれぞれが互いに時間をずらして実行する。この結果、光カプラＣＮから第２の光導波路１２０に出力される光の強度は徐々に弱くなっていく。そして、移相制御部Ｄ１〜ＤＮによる制御を繰り返し行うことで、モニタ１３０に入力される光の強度はゼロに近づいていく。このことは、偏波１１及び１２の両方の出力先が第１の光導波路１１０に集約されていくことを意味する。つまり、光信号１０の偏波の方向に依存することなく、偏波の方向が単一の光信号が第１の光導波路１１０に集約される。
【００２１】
デマルチプレクサ１７０は入力された単一モードの光信号を波長毎に分離し、波長がλ１の光信号を受光素子１８１に出力し、波長がλ２の光信号を受光素子１８２に出力し、波長がλ３の光信号を受光素子１８３に出力し、波長がλ４の光信号を受光素子１８４に出力する。そして、受光素子１８１〜１８４は、それぞれ受光した光の強度に応じた電気信号を出力する。
【００２２】
電気受信回路２００は受光素子１８１〜１８４が出力した電気信号の信号処理を行い、信号処理後の電気信号を光伝送装置１の外部へ出力する。
【００２３】
次に、光送信回路３００について説明する。光送信回路３００は、図１に示すように、レーザダイオード等の発光素子３８１、３８２、３８３及び３８４、変調器３１１、３１２、３１３及び３１４並びにマルチプレクサ３７０を含む。変調器３１１〜３１４は、電気送信回路４００からの制御信号により制御される。変調器３１１〜３１４は、それぞれ発光素子３８１〜３８４が出力した光信号を変調し、マルチプレクサ３７０に出力する。マルチプレクサ３７０は、変調器３１１〜３１４が出力した光信号を多重化し、多重化した信号６１０を光ファイバ６００に出力する。
【００２４】
このように構成された光伝送装置１においては、光信号１０の偏波の方向がどのようなものであっても、偏波の方向が単一の光信号が第１の光導波路１１０に集約され、一つのデマルチプレクサ１７０に入力される。従って、一つのデマルチプレクサ１７０を用いて適切に多重分離することができ、ＷＤＭ信号を安定して受信することができる。
【００２５】
なお、移相制御部Ｄ１〜ＤＮによる移相量の増減の量は特に限定されない。但し、増減の量が大きいほどモニタ１３０の出力の変動が大きくなり、出力の調整が粗くなる。その一方で、増減の量が小さい場合は、移相量の調整回数が多くなるおそれがあるものの、微調整が可能となる。従って、これらを考慮して増減の量を設定することが好ましい。
【００２６】
（第２の実施形態）
次に、第２の実施形態について説明する。第２の実施形態は、光受信回路１００に好適な光素子に関する。図３は、第２の実施形態に係る光素子の構成を示す図である。
【００２７】
第２の実施形態に係る光素子２は、図３に示すように、第１の光導波路２１０及び第２の光導波路２２０を含む。第１の光導波路２１０及び第２の光導波路２２０には、例えば、Ｓｉのコア及びＳｉＯ２のクラッドを備えたＳｉ光導波路を用いることができる。第１の光導波路２１０及び第２の光導波路２２０には、偏波の方向が同一の光信号が入力される。
【００２８】
第１の光導波路２１０及び第２の光導波路２２０には、Ｎ個の２入力２出力の３ｄＢカプラＣ１、Ｃ２、・・・、ＣＮ−１及びＣＮが設けられている。Ｎは波長の種類の数以上の整数である。隣り合う二つの３ｄＢカプラＣａ−１及びＣａ（ａは２以上Ｎ以下の整数）は、第１の光導波路２１０及び第２の光導波路２２０の導波路対を介して縦続接続されており、これら導波路対に移相器ＰＳａが設けられている。例えば、３ｄＢカプラＣ１及びＣ２の間の導波路対には移相器ＰＳ２が設けられ、３ｄＢカプラＣＮ−１及びＣＮの間の導波路対には移相器ＰＳＮが設けられている。また、３ｄＢカプラＣ１の入力側には、移相器ＰＳ１を備えた導波路対が設けられている。３ｄＢカプラＣ１〜ＣＮには、例えば、第１の光導波路２１０及び第２の光導波路２２０を互いに近接させることによる光結合を用いることができる。移相器ＰＳ１〜ＰＳＮには、例えば、高抵抗金属を含むヒータを用いることができる。高抵抗金属への印加電圧に応じて第１の光導波路２１０及び第２の光導波路２２０の温度が変化し、移相量を調整することができる。
【００２９】
光素子２は制御回路２４０を含む。制御回路２４０はＮ個の移相制御部Ｄ１、Ｄ２、・・・、ＤＮ−１及びＤＮを含む。移相制御部Ｄ１、Ｄ２、・・・、ＤＮ−１及びＤＮは、それぞれ制御信号Ctrl_1、Ctrl_2、・・・、Ctrl_N-1及びCtrl_Nを出力する。また、最終段の３ｄＢカプラＣＮの出力側では、第２の光導波路２２０に光の強度を検出するモニタ２３０が接続されている。モニタ２３０には、例えば、フォトダイオードを用いることができる。モニタ２３０は第２の光導波路１２０を伝播してきた光の強度を監視し、強度に応じた信号を移相制御部Ｄ１〜ＤＮに出力する。移相制御部Ｄ１〜ＤＮは、モニタ２３０の出力に応じて、それぞれ制御信号Ctrl_1〜Ctrl_Nにより移相器ＰＳ１〜ＰＳＮを制御する。
【００３０】
次に、光素子２の動作について説明する。図４は、制御信号を示す図であり、図５及び図６は、ヒータの出力の変化と光強度検出器の出力の変化との関係を示す図である。
【００３１】
制御回路２４０は、図４に示すように、移相制御部Ｄ１〜ＤＮからシーケンシャルに制御信号Ctrl_1〜Ctrl_Nを出力する。制御信号Ctrl_1〜Ctrl_Nは期間Ｔ１及び期間Ｔ２を含む。図５及び図６に示すように、期間Ｔ１では、移相器ＰＳｍ（ｍは１以上Ｎ以下の整数）のヒータの出力を増加させた後に減少させる。図５には、ヒータの出力を増加させた時間帯でモニタ２３０の出力が上昇し、ヒータの出力を減少させた時間帯でモニタ２３０の出力が低下する例を示す。図６には、ヒータの出力を増加させた時間帯でモニタ２３０の出力が低下し、ヒータの出力を減少させた時間帯でモニタ２３０の出力が上昇する例を示す。期間Ｔ１にてモニタ２３０の出力が図５に示す例のように変化した場合、移相制御部Ｄｍは、制御信号Ctrl_mにより、期間Ｔ２において移相器ＰＳｍのヒータの出力を減少させたままとする。一方、期間Ｔ２にてモニタ２３０の出力が図６に示す例のように変化した場合、移相制御部Ｄｍは、制御信号Ctrl_mにより、期間Ｔ２において移相器ＰＳｍのヒータの出力を増加させ、その状態を維持する。従って、制御信号Ctrl_1〜Ctrl_Nの出力のたびにモニタ２３０の出力が低下する。そして、図４に示すように、制御回路２４０がこのような処理を繰り返すことで、移相制御部Ｄ１〜ＤＮからシーケンシャルに制御信号Ctrl_1〜Ctrl_Nが出力され、モニタ２３０の出力がゼロに近づいていく。すなわち、第１の光導波路２１０に入力された光信号及び第２の光導波路２２０に入力された光信号が第１の光導波路２１０に集約されて出力される。
【００３２】
このような光素子２によれば、第１の光導波路２１０から偏波の方向が単一の光信号を安定して出力することができる。従って、第１の光導波路２１０にデマルチプレクサを接続することで、適切な多重分離を行うことが可能となる。
【００３３】
なお、期間Ｔ１において、ヒータ出力を増減させる回数は１回に限定されず、複数回行ってもよい。制御信号Ctrl_1〜Ctrl_Nの出力順は、光信号の伝播方向に沿っている必要はなく、例えば奇数番目の制御信号が順次出力された後に偶数番目の制御信号が順次出力されてもよい。制御頻度も特に限定されない。例えば、光素子２が用いられる環境に応じて制御頻度を調整することができる。
【００３４】
なお、本開示において、光導波路の材料は特に限定されない。例えば、ＩｎＧａＡｓのコア及びＩｎＰのクラッドを備えた化合物半導体の光導波路を用いてもよい。他の化合物半導体を用いてもよい。コア及びクラッドの両方に誘電体を用いてもよい。
【００３５】
また、移相器はヒータを用いたものに限定されない。例えば、Ｓｉ光導波路にＰＮ接合を形成した電気光学的な移相器を用いてもよい。他の電気光学材料を光導波路に設けたものを用いてもよい。ヒータの構成も高抵抗金属を含む構成に限定されない。
【００３６】
移相器の数がチャネル数以上であれば、複数の導波路対のうちの一部に移相器が設けられていなくてもよい。すなわち、移相器の数が光カプラの数より少なくてもよい。また、導波路対をなす二つの光導波路の両方に移相器が設けられている必要はなく、一方のみに移相器が設けられていてもよい。また、導波路対の長さ及び長さの差は任意であり、複数の導波路対の間で相違していてもよく、同一であってもよい。
【００３７】
第２の実施形態の光素子２は光受信回路１００に用いることができ、光素子２を備えた光伝送装置を構成することができる。
【００３８】
（第３の実施形態）
次に、第３の実施形態について説明する。第３の実施形態は、光受信回路１００に好適な光素子に関する。図７は、第３の実施形態に係る光素子の構成を示す図である。
【００３９】
第３の実施形態に係る光素子３は、図７に示すように、８個の光カプラＣ１〜Ｃ８、８個の移相器ＰＳ１〜ＰＳ８及び８個の移相制御部Ｄ１〜Ｄ８を含む。第１の光導波路２１０と第２の光導波路２２０との間の導波路長差はｃ／（ｍ・ｎＧ・Δｆ）である。ここで、ｃは光の速度、ｍは任意の整数であり、ｎＧは群屈折率であり、Δｆはチャネル周波数間隔である。つまり、入力側から第１番目、第４番目、第５番目、第７番目及び第８番目の導波路対では導波路長差がｃ／（４ｎＧ・Δｆ）となっている。また、第２番目の導波路対では導波路長差がｃ／（８ｎＧ・Δｆ）となっており、第３番目及び第６番目の導波路対では導波路長差がｃ／（２ｎＧ・Δｆ）となっている。
【００４０】
他の構成は第２の実施形態と同様である。
【００４１】
このように構成された光素子３では、各導波路対において導波路長差がより適切に設定されているため、少ない移相器で効率的に光信号を第１の光導波路２１０に集約することができる。従って、小型化に好適である。
【００４２】
なお、ｍの値の配列は特に限定されない。ｍの値の配列が他の配列になっていても、少ない移相器で光信号を効率的に第１の光導波路２１０に集約することができる。また、ｍの値は整数であることが好ましいが、整数から若干ずれていてもよい。
【００４３】
第３の実施形態の光素子３は光受信回路１００に用いることができ、光素子２を備えた光伝送装置を構成することができる。
【００４４】
次に、第３の実施形態に関するシミュレーションについて説明する。このシミュレーションでは、光カプラ、移相器及び移相制御部の数を９個とする。また、各導波路対における導波路長差はｃ／（４ｎＧ・Δｆ）とする。そして、図４〜図６に示す制御を実行する。すなわち、制御信号毎に、ヒータの出力を僅かに増減させてモニタの出力が低下する方向を特定し、その方向にヒータの出力を変化させる。このシミュレーションの結果を図８に示す。
【００４５】
図８に示すように、時間の経過と共に、第２の光導波路における光パワーが０に近づき、その一方で、第１の光導波路における光パワーが１に近づいた。つまり、第１の光導波路の出力ポートに光信号が集約した。
【００４６】
以下、本開示の諸態様を付記としてまとめて記載する。
【００４７】
（付記１）
複数種類の波長の光が伝送される第１の光導波路及び第２の光導波路と、
前記第１の光導波路及び前記第２の光導波路上に設けられ、前記第１の光導波路及び前記第２の光導波路で伝送される光を結合し、前記結合された光を前記第１の光導波路及び前記第２の光導波路に出力する複数の光カプラと、
前記複数の光カプラのうちの前記波長の種類以上のものの前段に設けられ、前記第１の光導波路若しくは前記第２の光導波路又はこれらの両方で伝送される光の移相量を変化させる複数の移相器と、
前記複数の光カプラのうちの最終段のものを介して前記第２の光導波路に出力された光の強度を監視するモニタと、
前記複数の移相器を制御する制御部と、
を有し、
前記制御部は、前記複数の移相器毎に、移相量を増減させて前記モニタの出力が低下する移相器の変化の方向を特定し、当該移相器を当該方向に変化させることを特徴とする光伝送装置。
（付記２）
前記第１の光導波路で伝送される光の偏波の方向と前記第２の光導波路で伝送される光の偏波の方向とが互いに一致することを特徴とする付記１に記載の光伝送装置。
（付記３）
前記制御部は、前記移相器を変化させる処理を、前記複数の移相器の間で繰り返し実行することを特徴とする付記１又は２に記載の光伝送装置。
（付記４）
前記複数の移相器が設けられた部分の各々において、光の速度をｃ、群屈折率をｎＧ、前記複数種類の波長の間の周波数間隔をΔｆとしたとき、前記第１の光導波路と前記第２の光導波路との間の導波路長差は、ｃ／（ｎＧ・Δｆ）の整数分の１であることを特徴とする付記１乃至３のいずれか１項に記載の光伝送装置。
（付記５）
前記複数の光カプラのうちの初段の前段において、前記第１の光導波路及び前記第２の光導波路が２次元回折格子カプラからの２出力に接続されることを特徴とする付記１乃至４のいずれか１項に記載の光伝送装置。
（付記６）
前記複数の光カプラのうちの最終段のものを介して前記第１の光導波路に前記複数種類の波長を分離する波長分離素子を有することを特徴とする付記１乃至５のいずれか１項に記載の光伝送装置。
（付記７）
前記波長分離素子はデマルチプレクサであることを特徴とする付記６に記載の光伝送装置。
（付記８）
前記分離素子の出力を受光する前記波長の種類と同数の受光素子を有することを特徴とする付記６又は７に記載の光伝送装置。
（付記９）
前記受光素子が出力する電気信号の信号処理を行う電気受信回路を有することを特徴とする付記８に記載の光伝送装置。
（付記１０）
複数種類の波長の光が伝送される第１の光導波路及び第２の光導波路と、
前記第１の光導波路及び前記第２の光導波路上に設けられ、前記第１の光導波路及び前記第２の光導波路で伝送される光を結合し、前記結合された光を前記第１の光導波路及び前記第２の光導波路に出力する複数の光カプラと、
前記複数の光カプラのうちの前記波長の種類以上のものの前段に設けられ、前記第１の光導波路若しくは前記第２の光導波路又はこれらの両方で伝送される光の移相量を変化させる複数の移相器と、
前記複数の光カプラのうちの最終段のものを介して前記第２の光導波路に出力された光の強度を監視するモニタと、
前記複数の移相器を制御する制御部と、
を有し、
前記制御部は、前記複数の移相器毎に、移相量を増減させて前記モニタの出力が低下する移相器の変化の方向を特定し、当該移相器を当該方向に変化させることを特徴とする光素子。
【符号の説明】
【００４８】
１：光伝送装置
２、３：光素子
１０：光信号
１１、１２：偏波
１００：光受信回路
１１０、２１０：第１の光導波路
１２０、２２０：第２の光導波路
１３０、２３０：モニタ
１４０、２４０：制御回路
１７０：デマルチプレクサ
１８１〜１８４：受光素子
Ｄ１〜ＤＮ：移相制御部
Ｃ１〜ＣＮ：光カプラ
ＰＳ１〜ＰＳＮ：移相器
２００：電気受信回路
３００：光送信回路
４００：電気送信回路
【図１】
2020072351.tif 000003
【図２】
2020072351.tif 000004
【図３】
2020072351.tif 000005
【図４】
2020072351.tif 000006
【図５】
2020072351.tif 000007
【図６】
2020072351.tif 000008
【図７】
2020072351.tif 000009
【図８】
2020072351.tif 000010